(57)【特許請求の範囲】
【請求項１】
ネットワークにそれぞれ接続されたセンターサーバ及び１乃至複数のローカルサーバと、各ローカルサーバのローカル伝送ラインに接続された複数の端末器とで構成され、全ての端末器には互いに異なる固有の端末アドレスを割り当ててあり、各ローカルサーバから、これらの端末アドレスを利用してローカル伝送ラインに接続された複数の端末器を管理するとともに、センターサーバから前記端末アドレスを利用し、各ローカルサーバを経由して複数の端末器を管理するシステムであって、
各端末器は、各端末器に接続された設備機器の状態を監視、制御するための複数の変数を用意し、組込のアプリケーションソフトにより前記変数にセットされた値を用いて対応する設備機器の状態を制御する処理を行うとともに、処理の結果を別の変数にセットする処理を行っており、さらに各ローカルサーバは、ネットワークを介して接続されるセンターサーバからの要求に応じて、ローカル伝送ラインに接続された端末器の変数にアクセスする機能を有し、センターサーバから、各ローカルサーバを経由して、各端末器の変数を読み込むことで、対応する設備機器の状態を監視する処理と、各端末器の変数を書き換えることで、対応する設備機器の状態を制御する処理とを行えるようにした遠隔監視システムにおいて、
各端末器は、前記設備機器として対応するローカルサーバで自己の端末アドレスが登録されたことを報知する第１の報知手段が接続され、前記変数として第１の報知手段の報知動作を制御するための第１の報知動作制御用変数を用意し、施工時にローカル伝送ラインに新たに接続されると自己の端末アドレスを対応するローカルサーバに送信しており、ローカルサーバでは、新たに接続された端末器からの端末アドレスを受信すると、受信した端末アドレスをセンターサーバに送信するとともに、受信した端末アドレスを登録する処理を実行し、登録処理が正常に終了した時点で、当該端末器をアクセスして、第１の報知動作制御用変数にデータをセットし、第１の報知手段により報知動作を行わせることを特徴とする遠隔監視システム。
【請求項２】
各端末器は、前記設備機器としてセンターサーバで自己の端末アドレスが登録されたことを報知する第２の報知手段が接続され、前記変数として第２の報知手段の報知動作を制御するための第２の報知動作制御用変数を用意しており、センターサーバでは、システム施工時にローカルサーバから新たに接続された端末器の端末アドレスが送信されると、当該端末アドレスを登録する処理を実行し、登録処理が正常に終了した時点で、ローカルサーバを介して当該端末器をアクセスし、第２の報知動作制御用変数にデータをセットして、第２の報知手段により報知動作を行わせることを特徴とする請求項１記載の遠隔監視システム。
【請求項３】
センターサーバは、ローカルサーバから新たに接続された端末器の端末アドレスが送信されると、当該端末アドレスを登録する処理を実行し、登録処理が正常に終了した時点で、当該端末アドレスと登録処理の終了した時刻とを履歴情報として保存することを特徴とする請求項１記載の遠隔監視システム。
【請求項４】
各端末器には、前記設備機器として、当該端末器が設置された建物を示す物件コードを入力するための物件コード入力手段が接続され、前記変数として、物件コード入力手段により入力された物件コードがセットされる物件コード用変数を用意したことを特徴とする請求項１記載の遠隔監視システム。
【請求項５】
各端末器には、前記設備機器として、当該端末器が設置された建物内の場所を示すエリア番号を入力するためのエリア番号入力手段が接続され、前記変数として、エリア番号入力手段により入力されたエリア番号がセットされるエリア番号用変数を用意したことを特徴とする請求項１記載の遠隔監視システム。
【発明の詳細な説明】
【０００１】
【発明の属する技術分野】
本発明は、オフィスビルや集合住宅などに設置されている設備機器の状態を遠隔から集中監視する遠隔監視システムに関するものである。
【０００２】
【従来の技術】
図３に従来の遠隔監視システムの概略構成図を示す。本システムはネットワーク２にそれぞれ接続されるセンターサーバ１およびローカルサーバ３と、ローカルサーバ３のローカル伝送ライン４に接続される複数台の端末器５とで構成される。
【０００３】
各端末器５は、住宅或いはオフィスビルや集合住宅内の所定のエリアに設置され、エリア内に設置された照明や空調機器などの設備機器の状態を監視又は制御するアプリケーションソフトが組み込まれている。また、各端末器５には互いに異なる端末アドレスが割り振られており、ローカルサーバ３では、それらの端末アドレスを利用してローカル伝送ライン４に接続された端末器５との間で通信を行い、個々の端末器５を管理している。また、センターサーバ１も、ローカルサーバ３と同様、端末アドレスを利用し、ローカルサーバ３を経由して個々の端末器５を管理している。
【０００４】
各端末器５は、対応する設備機器の状態を監視又は制御するための変数を複数用意しており、組込のアプリケーションソフトにより、上記変数にセットされたデータを用いて所定の処理を実行することで、設備機器の状態を制御するとともに、処理結果を上記変数にセットすることで、設備機器の状態を監視できるようになっている。
【０００５】
ここで、ローカルサーバ３からもローカル伝送ライン４を介して各端末器５にアクセスし、上記変数の値を読み込んだり、上記変数の内容を書き換えたりすることで、対応する設備機器の動作を監視又は制御することができる。
【０００６】
また、ローカルサーバ３には、ネットワーク２に接続されたセンターサーバ１からの要求に応じてローカル伝送ライン４に接続された端末器５をアクセスし、その端末器５に設けられた変数の値を読み込んだり、書き換えたりする処理を行うソフトウェアが組み込まれており、センターサーバ１から、ローカルサーバ３を経由して上記変数の値を読み込むことによる監視動作と、上記変数を書き換えることによる制御動作とを行うこともできる。
【０００７】
ところで、ローカルサーバ３には、本システムの施工時にローカル伝送ライン４に新たに接続された端末器５の端末アドレスを取得すると、取得した端末アドレスをセンターサーバ１に通知する処理を行うアプリケーションソフトが組み込まれており、センターサーバ１及びローカルサーバ３で新たに接続された端末器５の端末アドレスを登録する処理がそれぞれ実行されるのであるが、センターサーバ１及びローカルサーバ３で端末アドレスの登録処理が正常に終了したか否かを確認する場合は、ネットワーク２を経由してセンターサーバ１及びローカルサーバ３に接続されるデータ設定器６で確認作業を行っていた。
【０００８】
また遠隔のセンターサーバ１から、各端末器５に接続された設備機器の状態を監視又は制御する場合、各端末器５を特定するために、各端末器５の設置場所を端末器５の設置された建物に割り当てられた物件コードで管理していた。また各端末器５が集合住宅の複数の建物Ａ１，Ａ２内の各戸に分かれて設置されている場合は、各端末器５の設置場所を、各端末器５が設置された建物Ａ１，Ａ２に割り当てられた物件コードと、各戸の部屋番号のような設置エリアを示すエリア番号とで管理しており、センターサーバ１から各端末器５を特定するために、各端末器５の端末アドレスに物件コードやエリア番号を対応させる形でセンターサーバ１に登録する必要があった。
【０００９】
その場合、端末器５を現場に設置した後に、ネットワーク２を経由してセンターサーバ１に接続されるデータ設定器６を用いて、センターサーバ１に新たに登録された端末アドレスに対応して、物件コードやエリア番号を入力することでシステム設定を行っていた。
【００１０】
【発明が解決しようとする課題】
上述した遠隔監視システムでは、端末器５の設置現場で端末器５の端末アドレスがローカルサーバ３やセンターサーバ１に正常に登録されたか否かを確認したり、端末アドレスに対応した物件コードやエリア番号を登録するためにデータ設定器６を別途用意する必要があり、設定に手間がかかるという問題があった。また、作業者がデータ設定器６を用いて手作業で設定作業を行う場合、設定ミスが発生する虞もあった。
【００１１】
本発明は上記問題点に鑑みて為されたものであり、その目的とするところは、施工時における端末器の設定作業を容易にした遠隔監視システムを提供することにある。
【００１２】
【課題を解決するための手段】
上記目的を達成するために、請求項１の発明では、ネットワークにそれぞれ接続されたセンターサーバ及び１乃至複数のローカルサーバと、各ローカルサーバのローカル伝送ラインに接続された複数の端末器とで構成され、全ての端末器には互いに異なる固有の端末アドレスを割り当ててあり、各ローカルサーバから、これらの端末アドレスを利用してローカル伝送ラインに接続された複数の端末器を管理するとともに、センターサーバから端末アドレスを利用し、各ローカルサーバを経由して複数の端末器を管理するシステムであって、各端末器は、各端末器に接続された設備機器の状態を監視、制御するための複数の変数を用意し、組込のアプリケーションソフトにより変数にセットされた値を用いて対応する設備機器の状態を制御する処理を行うとともに、処理の結果を別の変数にセットする処理を行っており、さらに各ローカルサーバは、ネットワークを介して接続されるセンターサーバからの要求に応じて、ローカル伝送ラインに接続された端末器の変数にアクセスする機能を有し、センターサーバから、各ローカルサーバを経由して、各端末器の変数を読み込むことで、対応する設備機器の状態を監視する処理と、各端末器の変数を書き換えることで、対応する設備機器の状態を制御する処理とを行えるようにした遠隔監視システムにおいて、各端末器は、設備機器として対応するローカルサーバで自己の端末アドレスが登録されたことを報知する第１の報知手段が接続され、変数として第１の報知手段の報知動作を制御するための第１の報知動作制御用変数を用意し、施工時にローカル伝送ラインに新たに接続されると自己の端末アドレスを対応するローカルサーバに送信しており、ローカルサーバでは、新たに接続された端末器からの端末アドレスを受信すると、受信した端末アドレスをセンターサーバに送信するとともに、受信した端末アドレスを登録する処理を実行し、登録処理が正常に終了した時点で、当該端末器をアクセスして、第１の報知動作制御用変数にデータをセットし、第１の報知手段により報知動作を行わせることを特徴とする。
【００１３】
請求項２の発明では、請求項１の発明において、各端末器は、設備機器としてセンターサーバで自己の端末アドレスが登録されたことを報知する第２の報知手段が接続され、変数として第２の報知手段の報知動作を制御するための第２の報知動作制御用変数を用意しており、センターサーバでは、システム施工時にローカルサーバから新たに接続された端末器の端末アドレスが送信されると、当該端末アドレスを登録する処理を実行し、登録処理が正常に終了した時点で、ローカルサーバを介して当該端末器をアクセスし、第２の報知動作制御用変数にデータをセットして、第２の報知手段により報知動作を行わせることを特徴とする。
【００１４】
請求項３の発明では、請求項１の発明において、センターサーバは、ローカルサーバから新たに接続された端末器の端末アドレスが送信されると、当該端末アドレスを登録する処理を実行し、登録処理が正常に終了した時点で、当該端末アドレスと登録処理の終了した時刻とを履歴情報として保存することを特徴とする。
【００１５】
請求項４の発明では、請求項１の発明において、各端末器には、設備機器として、当該端末器が設置された建物を示す物件コードを入力するための物件コード入力手段が接続され、変数として、物件コード入力手段により入力された物件コードがセットされる物件コード用変数を用意したことを特徴とする。
【００１６】
請求項５の発明では、請求項１の発明において、各端末器には、設備機器として、当該端末器が設置された建物内の場所を示すエリア番号を入力するためのエリア番号入力手段が接続され、変数として、エリア番号入力手段により入力されたエリア番号がセットされるエリア番号用変数を用意したことを特徴とする。
【００１７】
【発明の実施の形態】
図１に本実施形態の遠隔監視システムの概略構成図を示す。本システムは、インターネットのようなネットワーク２にそれぞれ接続されるセンターサーバ１および１乃至複数（本実施形態では例えば１台）のローカルサーバ３と、ローカルサーバ３のローカル伝送ライン４に接続される複数台の端末器５とで構成される。
【００１８】
センターサーバ１は伝送処理部１ａと制御部１ｂと記憶部１ｃとで構成され、ローカルサーバ３は伝送処理部３ａと制御部３ｂと記憶部３ｃとで構成される。
【００１９】
全ての端末器５には、互いに異なる端末アドレスがそれぞれ割り振られており、この端末アドレスを用いてローカルサーバ３との間で所定の通信プロトコルにより通信伝送を行う伝送処理部５ａと、端末器５に接続された設備機器との間の入出力処理を行うアプリケーション処理部５ｂとを備えている。そして、各端末器５には、設備機器としてローカルサーバ３で自己の端末アドレスの登録処理が完了したことを音や光で報知する報知部７（第１の報知手段）と、センターサーバ１で自己の端末アドレスの登録処理が完了したことを音や光で報知する報知部８（第２の報知手段）と、当該端末器５が設置された建物の物件コードを入力するための物件コード入力部９（物件コード入力手段）と、当該端末器５が設置された設置エリアのエリア番号を入力するためのエリア番号入力部１０（エリア番号入力手段）とが接続されている。また各端末器５には、設備機器として照明や空調機器などの電気設備（図示せず）も接続されており、これら設備機器の動作状態を監視又は制御している。ここに、アプリケーション処理部５ｂはマイクロコンピュータ（以下、マイコンと言う）により実現され、報知部７，８及び各入力部９，１０はマイコンの入出力ポートに接続されている。
【００２０】
また端末器５には、報知部７の報知動作を制御するための第１の報知動作制御用変数（以下、単に変数と言う）ａと、報知部８の報知動作を制御するための第２の報知動作制御用変数（以下、単に変数と言う）ｂと、物件コード入力部９により入力された物件コードがセットされる物件コード用変数（以下、単に変数と言う）ｃと、エリア番号入力部１０により入力されたエリア番号がセットされるエリア番号用変数（以下、単に変数と言う）ｄとが用意されており、これらの変数ａ〜ｄには伝送処理部５ａ及びアプリケーション処理部５ｂの両方からアクセスできるようになっている。
【００２１】
ここで、端末器５の動作を図２のシーケンス図に基づいて説明する。
【００２２】
システム施工時に、作業者がローカルサーバ３のローカル伝送ライン４に端末器５を新たに接続し、新たに接続された端末器５の物件コードを物件コード入力部９を用いて入力するとともに、エリア番号入力部１０を用いてエリア番号を入力すると、アプリケーション処理部５ｂが、物件コード入力部９により入力された物件コードを入力ポートから読み込んで、その値を変数ｃにセットするとともに、エリア番号入力部１０により入力されたエリア番号を入力ポートから読み込んで、その値を変数ｄにセットする（Ｓ１）。
【００２３】
端末器５では、変数ｃに物件コードが、変数ｄにエリア番号がそれぞれ設定されると、組込のアプリケーションソフトが起動され、伝送処理部５ａからローカル伝送ライン４を介してローカルサーバ３に自己の端末アドレスを送信させる（Ｓ２）。
【００２４】
ローカルサーバ３では、伝送処理部３ａが新たに接続された端末器５の端末アドレスを受信すると、制御部３ｂが受信した端末アドレスを記憶部３ｃに登録する処理を実行し（Ｓ３）、登録処理が終了した時点でローカル伝送ライン４を介して当該端末器５にアクセスし、端末器５の変数ａに報知部７を駆動するための制御データを書き込む（Ｓ４）。端末器５では、変数ａに制御データが書き込まれると、この制御データに基づいてアプリケーション処理部５ｂが報知部７を駆動し、報知部７による報知動作を行わせているので、作業者に対してローカルサーバ３で端末アドレスを登録する処理が正常に終了したことを知らしめることができる（Ｓ５）。
【００２５】
また、ローカルサーバ３では、新たな端末器５の端末アドレスを登録する処理を終了すると、ネットワーク２を介してセンターサーバ１にアクセスし、新たな端末器５の端末アドレスをセンターサーバ１に通知する（Ｓ６）。
【００２６】
センターサーバ１では、伝送処理部１ａがローカルサーバ３から送信された新たな端末器５の端末アドレスを受信すると、制御部１ｂが受信した端末アドレスを記憶部１ｃに登録する処理を実行し（Ｓ７）、登録処理が正常に終了すると、登録処理の終了した時刻を端末アドレスに対応させた形式でファイルにし、通信記録（ログ）として記憶部１ｃに保存する（Ｓ８）。
【００２７】
センターサーバ１で端末アドレスの登録処理が完了すると、センターサーバ１からネットワーク２及びローカルサーバ３を介して新たに登録された端末器５にアクセスし、端末器５に設けた変数ｂに報知部８を駆動するための制御データを書き込む（Ｓ９，Ｓ１０）。端末器５では、変数ｂに制御データが書き込まれると、この制御データに基づいてアプリケーション処理部５ｂが報知部８を駆動し、報知部８による報知動作を行わせているので、作業者に対してセンターサーバ１で端末アドレスを登録する処理が正常に終了したことを知らしめることができる（Ｓ１１）。
【００２８】
また、センターサーバ１において端末アドレスの登録処理が終了すると、センターサーバ１の制御部１ｂは、伝送処理部１ａによりネットワーク２及びローカルサーバ３を介して新たに登録された端末器５にアクセスさせ、端末器５に対して変数ｃに設定された物件コードを送信するよう要求する（Ｓ１２，Ｓ１３）。この時、端末器５では、伝送処理部５ａがセンターサーバ１からの要求信号を受信し、この要求信号に基づいて変数ｃに設定された物件コードを、ローカルサーバ３及びネットワーク２を介してセンターサーバ１に送信させる（Ｓ１４，Ｓ１５）。そして、センターサーバ１では伝送処理部１ａが端末器５から送信された物件コードを受信すると、制御部１ｂが受信した物件コードを当該端末器５の端末アドレスに対応させた形で記憶部１ｃに設定する処理を行う（Ｓ１６）。
【００２９】
また物件コードの設定処理が終了すると、センターサーバ１の制御部１ｂは、伝送処理部１ａによりネットワーク２及びローカルサーバ３を介して新たに登録された端末器５にアクセスさせ、端末器５に対して変数ｄに設定されたエリア番号を送信するよう要求する（Ｓ１７，Ｓ１８）。この時、端末器５では、伝送処理部５ａがセンターサーバ１からの要求信号を受信し、この要求信号に基づいて変数ｄに設定されたエリア番号を、ローカルサーバ３及びネットワーク２を介してセンターサーバ１に送信させる（Ｓ１９，Ｓ２０）。そして、センターサーバ１では伝送処理部１ａが端末器５から送信されたエリア番号を受信すると、制御部１ｂが受信したエリア番号を当該端末器５の端末アドレスに対応させた形で記憶部１ｃに設定する処理を行う（Ｓ２１）。
【００３０】
このように、本実施形態ではシステム施工時に端末器５からローカル伝送ライン４を介してローカルサーバ３に端末アドレスを送信させると共に、ローカルサーバ３が受信した端末アドレスをネットワーク２を介してセンターサーバ１に送信させており、センターサーバ１及びローカルサーバ３でそれぞれ端末アドレスを登録する処理を行わせている。そして、端末アドレスの登録処理が終了した時点で、センターサーバ１及びローカルサーバ３から端末器５にアクセスし、変数ａ，ｂにデータをセットすることで、報知部７，８による報知動作を行わせているので、作業者に対してセンターサーバ１及びローカルサーバ３で端末アドレスを登録する処理が終了したことを知らしめることができ、従来の遠隔監視システムのようにネットワーク２に接続したデータ設定器を用いて登録処理が終了したか否かを確認する必要が無く、確認作業の手間を少なくして、システム施工時の作業性を向上させることができる。
【００３１】
また、各端末器５では、物件コード入力部９およびエリア番号入力部１０を用いて入力された物件コード及びエリア番号をそれぞれ変数ｃ，ｄにセットしているので、センターサーバ１及びローカルサーバ３から各変数ｃ，ｄの値を参照することで、変数ｃ，ｄにセットされた物件コード及びエリア番号を読み取ることができ、従来の遠隔監視システムのようにネットワーク２に接続したデータ設定器を用いて物件コードやエリア番号を登録する必要がないので、登録時の入力ミスを無くすことができる。
【００３２】
【発明の効果】
上述のように、請求項１の発明は、ネットワークにそれぞれ接続されたセンターサーバ及び１乃至複数のローカルサーバと、各ローカルサーバのローカル伝送ラインに接続された複数の端末器とで構成され、全ての端末器には互いに異なる固有の端末アドレスを割り当ててあり、各ローカルサーバから、これらの端末アドレスを利用してローカル伝送ラインに接続された複数の端末器を管理するとともに、センターサーバから端末アドレスを利用し、各ローカルサーバを経由して複数の端末器を管理するシステムであって、各端末器は、各端末器に接続された設備機器の状態を監視、制御するための複数の変数を用意し、組込のアプリケーションソフトにより変数にセットされた値を用いて対応する設備機器の状態を制御する処理を行うとともに、処理の結果を別の変数にセットする処理を行っており、さらに各ローカルサーバは、ネットワークを介して接続されるセンターサーバからの要求に応じて、ローカル伝送ラインに接続された端末器の変数にアクセスする機能を有し、センターサーバから、各ローカルサーバを経由して、各端末器の変数を読み込むことで、対応する設備機器の状態を監視する処理と、各端末器の変数を書き換えることで、対応する設備機器の状態を制御する処理とを行えるようにした遠隔監視システムにおいて、各端末器は、設備機器として対応するローカルサーバで自己の端末アドレスが登録されたことを報知する第１の報知手段が接続され、変数として第１の報知手段の報知動作を制御するための第１の報知動作制御用変数を用意し、施工時にローカル伝送ラインに新たに接続されると自己の端末アドレスを対応するローカルサーバに送信しており、ローカルサーバでは、新たに接続された端末器からの端末アドレスを受信すると、受信した端末アドレスをセンターサーバに送信するとともに、受信した端末アドレスを登録する処理を実行し、登録処理が正常に終了した時点で、当該端末器をアクセスして、第１の報知動作制御用変数にデータをセットし、第１の報知手段により報知動作を行わせることを特徴とし、ローカルサーバにおいて新たに接続された端末器の端末アドレスを登録する処理が終了すると、端末器に設けた第１の報知動作制御用変数にデータがセットされ、そのデータに応じて第１の報知手段が報知動作を行うので、ローカルサーバで端末アドレスの登録処理が終了したことを作業者に知らしめることができ、且つ、設定器を用いてアドレスの設定や登録状況の確認を行う手間がなくなって、施工作業の作業性が向上するという効果がある。
【００３３】
請求項２の発明は、請求項１の発明において、各端末器は、設備機器としてセンターサーバで自己の端末アドレスが登録されたことを報知する第２の報知手段が接続され、変数として第２の報知手段の報知動作を制御するための第２の報知動作制御用変数を用意しており、センターサーバでは、システム施工時にローカルサーバから新たに接続された端末器の端末アドレスが送信されると、当該端末アドレスを登録する処理を実行し、登録処理が正常に終了した時点で、ローカルサーバを介して当該端末器をアクセスし、第２の報知動作制御用変数にデータをセットして、第２の報知手段により報知動作を行わせることを特徴とし、センターサーバにおいて新たに接続された端末器の端末アドレスを登録する処理が終了すると、センターサーバがローカルサーバを介して端末器にアクセスし、端末器に設けた第２の報知動作制御用変数にデータがセットされ、そのデータに応じて第２の報知手段が報知動作を行うので、センターサーバで端末アドレスの登録処理が完了したことを作業者に知らしめることができ、且つ、設定器を用いてアドレスの設定や登録状況の確認を行う手間がなくなり、施工作業の作業性が向上するという効果がある。
【００３４】
請求項３の発明は、請求項１の発明において、センターサーバは、ローカルサーバから新たに接続された端末器の端末アドレスが送信されると、当該端末アドレスを登録する処理を実行し、登録処理が正常に終了した時点で、当該端末アドレスと登録処理の終了した時刻とを履歴情報として保存することを特徴とし、各端末器の端末アドレスを登録する処理が終了した時刻をセンターサーバで保管しておくことができる。
【００３５】
請求項４の発明は、請求項１の発明において、各端末器には、設備機器として、当該端末器が設置された建物を示す物件コードを入力するための物件コード入力手段が接続され、変数として、物件コード入力手段により入力された物件コードがセットされる物件コード用変数を用意したことを特徴とし、各端末器において物件コード入力手段を用いて物件コードを入力しておけば、センターサーバからローカルサーバを介して各端末器をアクセスし、物件コード用変数にセットされたデータを参照することで、端末器の設置された建物を示す物件コードをセンターサーバから読み取ることができ、設定器を用いてセンターサーバにエリア番号を登録する必要がないので、登録ミスを減らすこともできる。
【００３６】
請求項５の発明は、請求項１の発明において、各端末器には、設備機器として、当該端末器が設置された建物内の場所を示すエリア番号を入力するためのエリア番号入力手段が接続され、変数として、エリア番号入力手段により入力されたエリア番号がセットされるエリア番号用変数を用意したことを特徴とし、各端末器においてエリア番号入力手段を用いてエリア番号を入力しておけば、センターサーバからローカルサーバを介して各端末器をアクセスし、エリア番号用変数にセットされたデータを参照することで、端末器の設置された場所を示すエリア番号をセンターサーバから読み取ることができ、設定器を用いてセンターサーバにエリア番号を登録する必要がないので、登録ミスを減らすこともできる。
【図面の簡単な説明】
【図１】本実施形態の遠隔監視システムの概略構成図である。
【図２】同上の動作を説明するシーケンス図である。
【図３】従来の遠隔監視システムの概略構成図である。
【符号の説明】
１  センターサーバ
２  ネットワーク
３  ローカルサーバ
４  ローカル伝送ライン
５  端末器
７  報知部
ａ  変数
【図１】
0003945313.tif 000002
【図２】
0003945313.tif 000003
【図３】
0003945313.tif 000004